(57)【特許請求の範囲】
【請求項１】
乗客シートのためのヘッドレスト構造であって、
前記ヘッドレスト構造は、
乗客シートへの接続のための調整可能ヘッドレストフレームと、
座席利用者の頭部を支持するための支持面を有しており、前記ヘッドレストフレームに取り付けられているヘッドレストクッションであって、前記ヘッドレストクッションは、前記ヘッドレストフレームによって前記乗客シートのシートバックに対して可動であるように取り付けられている、ヘッドレストクッションと
を備え、
前記ヘッドレストフレームは、前記ヘッドレストフレームの最上部および最下部が、前記ヘッドレストフレームが直立位置にある場合のそれぞれの位置を基準として異なる方向に移動するように、前方傾斜および後方傾斜を提供するように構成されており、
前記ヘッドレストフレームは、初期位置から上向き方向に動くことができ且つ前記初期位置に戻るように下向き方向に動くことができるように、前記ヘッドレストフレームにおける所定位置に接続されており且つ前記乗客シートに前記ヘッドレストフレームを取り付けるための取り付けブレースに接続されているヒンジを備え、
前記ヘッドレストクッションは、前記支持面に形成された切り欠きを有しており、前記切り欠きは、前記ヘッドレストフレームの側部を前記ヘッドレストフレームの中央部に対して折り畳むために、前記調整可能ヘッドレストフレームの対応する折り畳みジョイントに対して整列されている、ヘッドレスト構造。
【請求項２】
前記ヘッドレストクッションは、第１の圧縮強度を有する中央部と、前記第１の圧縮強度とは異なる第２の圧縮強度を有する側部とを備える、請求項１に記載のヘッドレスト構造。
【請求項３】
前記第１の圧縮強度は、前記第２の圧縮強度よりも高い、請求項２に記載のヘッドレスト構造。
【請求項４】
前記ヘッドレストクッションの前記中央部は、前記調整可能ヘッドレストフレームの中心取り付けプレートに取り付けられる、請求項２又は３に記載のヘッドレスト構造。
【請求項５】
前記ヘッドレストクッションの前記側部は、前記調整可能ヘッドレストフレームの対応する側部取り付けプレートに取り付けられる、請求項２〜４のいずれか一項に記載のヘッドレスト構造。
【請求項６】
前記支持面は、前記ヘッドレストフレームから外方に向いており、
前記支持面は、凹面上部及び凸面下部を備え、
前記支持面の前記凹面上部は、前記支持面の前記凸面下部に対して直に接している、請求項１〜５のいずれか一項に記載のヘッドレスト構造。
【請求項７】
前記凹面上部の湾曲は、前記凸面下部の湾曲よりも浅い、請求項６に記載のヘッドレスト構造。
【請求項８】
前記凹面上部および前記凸面下部は各々、前記乗客シートに対する前記ヘッドレストクッションの水平幅のほぼ全体にわたって延伸する、請求項６又は７に記載のヘッドレスト構造。
【請求項９】
前記ヘッドレストフレームは、４ウェイヘッドレストフレームである、請求項１〜８のいずれか一項に記載のヘッドレスト構造。
【請求項１０】
前記ヘッドレストフレームは、６ウェイヘッドレストフレームである、請求項１〜８のいずれか一項に記載のヘッドレスト構造。
【請求項１１】
前記ヘッドレストフレームは、前記ヘッドレストクッションが上向きおよび下向きの方向において、前方および後方への傾きにおいて、ならびに、２つの折り畳み線に沿った折り畳みにおいて可動であるように構成されている、請求項１０に記載のヘッドレスト構造。
【請求項１２】
前記ヘッドレストフレームは、前方傾斜および後方傾斜のための回転軸が、前記ヘッドレストフレームの高さの上部約１/４に設けられるように、前記前方傾斜および前記後方傾斜を提供するように構成されている、請求項１〜１１のいずれか一項に記載のヘッドレスト構造。
【請求項１３】
請求項１〜１２のいずれか一項に記載のヘッドレスト構造を備える、乗客シート。
【発明の詳細な説明】
【技術分野】
【０００１】
本発明は、広範には、ヘッドレスト構造、ヘッドレストクッションおよび乗客シートに関する。
【背景技術】
【０００２】
ヘッドレストは、座席利用者の頭部の支持を提供するために、乗客シート、たとえば航空機の乗客シートにおいて一般的に使用されている。有効であるために、ヘッドレストは、座席の背もたれの上で正確な距離に位置づけられるべきである。背もたれの上の距離は、人体測定学および個人の快適性嗜好に応じて人ごとに異なる。
【０００３】
航空機座席の従来のヘッドレストは、座席利用者が、上向きおよび下向きに動かすことによって個々の快適性および嗜好に基づく背もたれの上の正確な距離に位置づけられるようにヘッドレストを調整することができる、２ウェイヘッドレストである。従来の２ウェイヘッドレストが直面する課題に取り組み、対処するために、４および６ウェイヘッドレストが開発されている。
【０００４】
４ウェイヘッドレストは、上向きおよび下向きの調整を可能にするのに加えて、座席利用者の横向きの頭部支持を可能にするために、その側部が折り畳まれることを可能にする。
【０００５】
４ウェイヘッドレストについて上述した機能に加えて、６ウェイヘッドレストは、ヘッドレストが前後に傾くことを可能にする。そのため、６ウェイヘッドレストは、座席利用者に対し、個々の嗜好に基づく広範囲のヘッドレスト調整を可能にする。
【０００６】
既存のヘッドレスト設計において、ヘッドレストクッションは一般的に、座席利用者の頭部の支持を可能にするために、実質的に平坦な支持面、すなわち、ヘッドレストフレームから外方に向き、座席利用者の頭部に向いている表面を有して形成されている。特に、座席利用者が眠っている間、自身の頭部を横向きに傾けるのが一般的である長距離飛行において、多くの乗客が首の負担および強張りを経験し続けることが分かっている。そのため、乗客の着座の快適性が損なわれている。
【発明の概要】
【発明が解決しようとする課題】
【０００７】
本発明の実施形態は、上記の問題の少なくとも１つを考慮した、ヘッドレスト、ヘッドレストのためのクッションおよび乗客シートを提供する。
【課題を解決するための手段】
【０００８】
本発明の第１の態様によれば、乗客シートのためのヘッドレスト構造が提供され、ヘッドレスト構造は、乗客シートへの接続のための調整可能ヘッドレストフレームと、調整可能ヘッドレストフレームに取り付けられているヘッドレストクッションであって、ヘッドレストクッションは、調整可能ヘッドレストフレームによって乗客シートのシートバックに対して可動であるように取り付けられている、ヘッドレストクッションとを備え、ヘッドレストクッションは、ヘッドレストフレームから外方に向いている支持面を備え、支持面は、乗客シートに対する凹面上部および凸面下部を備える。
【０００９】
本発明の第２の態様によれば、乗客シートのための調整可能ヘッドレストフレームのヘッドレストクッションが提供され、ヘッドレストクッションは、調整可能ヘッドレストフレームによってヘッドレストクッションが乗客シートのシートバックに対して可動であるように、調整可能ヘッドレストフレームに取り付けられるように構成されており、ヘッドレストクッションは、ヘッドレストフレームから外方に向くように配置されている支持面を備え、支持面は、乗客シートに対する凹面上部および凸面下部を備える。
【００１０】
本発明の第３の態様によれば、第１の態様のヘッドレスト構造を備える乗客シートが提供される。
【００１１】
本発明の実施形態は、図面とともに、ほんの一例としての以下の記載から当業者により良好に理解され、容易に明らかとなろう。
【図面の簡単な説明】
【００１２】
【図１ａ】例示的な実施形態によるヘッドレスト構造の概略分解等角図である。
【図１ｂ】図１のヘッドレスト構造の概略側面図である。
【図２ａ】異なる傾斜方向にある、図１のヘッドレスト構造のヘッドレストフレームの概略側面図である。
【図２ｂ】異なる傾斜方向にある、図１のヘッドレスト構造のヘッドレストフレームの概略側面図である。
【図３ａ】異なる傾斜方向にある、図１のヘッドレスト構造のヘッドレストクッションの概略側面図である。
【図３ｂ】異なる傾斜方向にある、図１のヘッドレスト構造のヘッドレストクッションの概略側面図である。
【図４】図１のヘッドレスト構造の概略等角図である。
【図５ａ】図１のヘッドレスト構造の概略正面図である。
【図５ｂ】図１のヘッドレスト構造の概略側面図である。
【発明を実施するための形態】
【００１３】
本発明の実施形態は、涙滴形状クッションと結合されている６ウェイヘッドレストを提供する。６ウェイヘッドレストは、座席利用者が、自身の好適な構成にヘッドレストを調整することを可能にし、一方で、ヘッドレストクッションは、好ましくは頭部および首の両方の支持を可能にする、乗客シートに対する凹面上部および凸面下部を有する支持面を有する。
【００１４】
例示的な実施形態において、ヘッドレストクッションの形状は、人間の頭部および首の解剖学を考慮に入れるように設計されており、より詳細には、クッションは、人間の頭部および首の領域の後部外形に従う凹面上半部および凸面下半部を有する。有利には、凹面上半部は、頭部の支持を可能にし、一方で、凸面下半部は、座席利用者の首の支持を可能にする。
【００１５】
図１ａは、例示的な実施形態によるヘッドレスト１００の概略分解等角図を示す。ヘッドレスト１００は、上向き調整、下向き調整、前方傾斜、後方傾斜、および２つの折り畳み線に沿った折り畳みを可能にする。ヘッドレスト１００は、ヘッドレストフレーム１０２と、ヘッドレストクッション１０４とを備える。６ウェイヘッドレストフレーム１０２および成形クッション１０４によって、例示的な実施形態は好ましくは、人体測定学的に異なる広範囲の座席利用者について、頭部および首の両方の支持を提供することが可能である。ヒンジ、たとえば１０９によるヘッドレストフレーム側部フラップ１０６、１０８の折り畳みによって、有利には、頭部が横向きに傾かないようにするか、または横向きの傾きを制限するように、頭部および首の領域に支持を提供することもできる。
【００１６】
例示的な実施形態において、ヘッドレストクッション１０４は、凹面上部１０５および凸面下部１０７を有する。さらに、この実施形態におけるヘッドレストクッション１０４は、中心部分１１０にはより柔軟な１つまたは複数の材料を有し、側部フラップ部分１１２、１１４にはより剛直な１つまたは複数の材料を有する。これによって、有利には、側部フラップ部分のより剛直な１つまたは複数の材料によって頭部が横向きに傾かないようにするか、または横向きの傾きを制限するように頭部および首の領域に十分な支持を提供しながら、座席利用者に、頭部および首の後部領域における快適感を提供することができる。一実施形態において、ヘッドレストクッション１０４の中心部分１１０には、個々の利用者に対する人体測定学的なヘッドレストの適合性を高めるために、好ましくはメモリーフォームが実装される。
【００１７】
例示的な実施形態におけるヘッドレストクッション１０４は、その支持面１２０内に形成される実質的にＶ字形状の切り欠き１１６、１１８の形態の空隙を有し、当該空隙は、側部フラップ１０６、１０８とともに側部フラップ部分１１２、１１４の折り畳みに適合するために、ヘッドレストフレーム１０２から外方に向いており、すなわち、座席利用者に向いている。好ましくは、切り欠き１１６、１１８は、側部フラップ１０６、１０８が折り畳まれるときのヘッドレストクッションの「しわ」をなくすか、または少なくとも低減する。空隙は、図１に示す切り欠き１１６、１１８に限定されず、異なる実施形態においては、付加的にもしくは代替的に、異なる形状にされてもよく、連続的または断続的に延伸してもよく、フォーム本体に部分的または完全に埋め込まれてもよく、および／または、ヘッドレストフレーム１０２に向いている表面１２２内に形成されてもよい。支持面１２０内に空隙を形成することが、しわを最小限に抑えるために好適であり得る。
【００１８】
図１ｂを参照すると、この実施形態において、支持面１２０の凹面上部１０５は、支持面１２０の凸面下部１０７に対して直に接しており、それによって、乗客シートに対する垂直軸に沿ったヘッドレストクッションの断面が、実質的に逆Ｓ字形状をなしている。凹面上部１０５の湾曲１２４は、凸面下部１０７の湾曲１２６よりも浅い。凹面上部１０５および凸面下部１０７は各々、乗客シートに対するヘッドレストクッション１０４の水平幅のほぼ全体にわたって延伸する。
【００１９】
図２ａおよび図２ｂを参照すると、例示的な実施形態におけるヒンジ２００を中心とするヘッドレストフレーム１０２の前方および後方への傾きは、有利には、座席利用者が、ヘッドレストクッション１０４（図１）の位置を、首の後部の凹面外形にフィットし、任意選択的に、後頭部の凸面外形にフィットするように調整することを可能にし、もって、特定の首および頭部の支持を提供する。ヒンジ２００は、この実施形態において、ヘッドレストフレーム１０２の高さの上部約１／４に沿った回転軸を生成するように構成されている。ヘッドレストフレーム１０２の傾斜角は、限定ではないが、垂直（実質的に直立位置にあるシートバックを基準として）から約０°〜約９０°の間とすることができる。ヘッドレストフレーム１０２を乗客シートのシートバックに取り付けるために、取り付けブレース２０２が設けられる。上向きおよび下向き方向の調整のために、可動ブロック２０４、２０６が、ヘッドレストフレーム１０２の背面に形成されているトラック（図２では隠れている）内で誘導される。
【００２０】
図３ａおよび図３ｂは、人体測定学的に異なる、すなわち、それぞれより浅いおよびより急な首の湾曲を有する２つの頭部３００、３０２に対する２つの異なる傾斜方向にあるヘッドレストクッション１０４を示す。図３ａにおいて、ヘッドレストクッション１０４は、凸面下部１０７が首の凹面外形３０４へと延伸してフィットし、一方で、凹面上部１０５が頭部３００の後ろの凸面外形３０６を「抱き抱える」ように調整することができる。同様に、図３ｂにおいて、ヘッドレストクッション１０４は、凸面下部１０７が首のより急な凹面外形３０８へと延伸してフィットし、一方で、凹面上部１０５が頭部３０２の後ろの凸面外形３１０を「抱き抱える」ように調整することができる。
【００２１】
図３ａおよび図３ｂから分かるように、例示的な実施形態の６ウェイヘッドレスト１００（図１）は、座席利用者が、自身の快適性嗜好および人体測定学に基づいて頭部および首の支持を可能にするようにヘッドレスト構成を調整することを可能にし、これによって、乗客の快適性の改善を有利に達成することができる。
【００２２】
図４は、たとえば、ベルクロおよび／またはこの例示的な実施形態においてはいくつかのリベット、たとえば４００を使用してヘッドレストクッション１０４がヘッドレストフレーム１０２に取り付けられているヘッドレスト１００の概略等角図を、ヘッドレストクッション１０４を通じた透視図によって示す。
【００２３】
異なる実施形態において、当業者には了解されるように、ヘッドレスト構造およびクッションの寸法は、座席の寸法および美観に応じて決定される。図５ａおよび図５ｂに示すように、６ウェイヘッドレスト５００の例示的な一実施態様は、以下の寸法を有することができる。
【００２４】
約４５０ｍｍの幅５０２
約１８３ｍｍの高さ５０４
約５５ｍｍの最大奥行き５０６
約２５ｍｍの上部における奥行き５０８
約１５ｍｍの凹面上部における最小奥行き５１０
約４０ｍｍの下部における奥行き５１２
【００２５】
一実施形態において、乗客シートのためのヘッドレスト構造は、乗客シートへの接続のための調整可能ヘッドレストフレームと、調整可能ヘッドレストフレームに取り付けられているヘッドレストクッションであって、ヘッドレストクッションは、調整可能ヘッドレストフレームによって乗客シートのシートバックに対して可動であるように取り付けられている、ヘッドレストクッションとを備え、ヘッドレストクッションは、ヘッドレストフレームから外方に向いている支持面を備え、支持面は、乗客シートに対する凹面上部および凸面下部を備える。
【００２６】
ヘッドレストクッションは、その本体内に空隙が形成され、空隙は、ヘッドレストフレームの側部をヘッドレストフレームの中央部に対して折り畳むために、調整可能ヘッドレストフレームの対応する折り畳みジョイントに対して整列されている。ヘッドレストクッションは、第１の圧縮強度を有する中央部と、第１の圧縮強度とは異なる第２の圧縮強度を有する側部とを備えることができる。第１の圧縮強度は、第２の圧縮強度よりも高いものとすることができる。ヘッドレストクッションの中央部は、調整可能ヘッドレストフレームの中心取り付けプレートに取り付けることができる。ヘッドレストクッションの側部は、調整可能ヘッドレストフレームの対応する側部取り付けプレートに取り付けることができる。
【００２７】
一実施形態において、支持面の凹面上部は、乗客シートに対する垂直軸に沿ったヘッドレストクッションの断面が、実質的に逆Ｓ字形状になるように、支持面の凸面下部に対して直に接している。凹面上部の湾曲は、凸面下部の湾曲よりも浅い。
【００２８】
一実施形態において、凹面上部および凸面下部は各々、乗客シートに対するヘッドレストクッションの水平幅のほぼ全体にわたって延伸する。
【００２９】
調整可能ヘッドレストフレームは、４ウェイヘッドレストフレームであってもよい。調整可能ヘッドレストフレームは、６ウェイヘッドレストフレームであってもよい。ヘッドレストフレームは、ヘッドレストクッションが上向きおよび下向きの方向において、前方および後方への傾きにおいて、ならびに、２つの折り畳み線に沿った折り畳みにおいて可動であるように構成することができる。
【００３０】
一実施形態において、乗客シートのための調整可能ヘッドレストフレームのヘッドレストクッションが提供され、ヘッドレストクッションは、調整可能ヘッドレストフレームによってヘッドレストクッションが乗客シートのシートバックに対して可動であるように、調整可能ヘッドレストフレームに取り付けられるように構成されており、ヘッドレストクッションは、ヘッドレストフレームから外方に向くように配置されている支持面を備え、支持面は、乗客シートに対する凹面上部および凸面下部を備える。
【００３１】
ヘッドレストクッションは、その本体内に空隙が形成され、空隙は、ヘッドレストフレームの側部をヘッドレストフレームの中央部に対して折り畳むために、調整可能ヘッドレストフレームの対応する折り畳みジョイントに対して整列されている。ヘッドレストクッションは、第１の圧縮強度を有する中央部と、第１の圧縮強度とは異なる第２の圧縮強度を有する側部とを備えることができる。第１の圧縮強度は、第２の圧縮強度よりも高いものとすることができる。ヘッドレストクッションの中央部は、調整可能ヘッドレストフレームの中心取り付けプレートに取り付けられるように構成することができる。ヘッドレストクッションの側部は、調整可能ヘッドレストフレームの対応する側部取り付けプレートに取り付けられるように構成することができる。
【００３２】
一実施形態において、支持面の凹面上部は、乗客シートに対する垂直軸に沿ったヘッドレストクッションの断面が、実質的に逆Ｓ字形状になるように、支持面の凸面下部に対して直に接している。凹面上部の湾曲は、凸面下部の湾曲よりも浅いものとすることができる。凹面上部および凸面下部は各々、乗客シートに対するヘッドレストクッションの水平幅のほぼ全体にわたって延伸することができる。
【００３３】
広範に記載されているような本発明の精神または範囲から逸脱することなく、特定の実施形態に示されているような本発明に多数の変更および／または修正を行うことができることが、当業者には了解されよう。本発明の実施形態は、それゆえ、すべての点において限定ではなく例示であるものとして考えられるべきである。
【図１ａ）】
0006404902.tif 000002
【図１ｂ）】
0006404902.tif 000003
【図２ａ）】
0006404902.tif 000004
【図２ｂ）】
0006404902.tif 000005
【図３ａ）】
0006404902.tif 000006
【図３ｂ）】
0006404902.tif 000007
【図４】
0006404902.tif 000008
【図５ａ）】
0006404902.tif 000009
【図５ｂ）】
0006404902.tif 000010